(57)【要約】      （修正有）【課題】パーラーの椅子に取付けられる肘掛け装置の取付台の構造を提供する。【解決手段】取付台１は、全体視して、等脚台形立方体を呈しており、平板部１００と、この平板部１００より垂架した、この平板部１００の一面側にある一枚板で、かつ正面視して略三角形状を呈する一枚板とした左右の袖板１０１、１０２と、この左右の袖板１０１、１０２の合体側で、かつセンタに位置し、しかも平板部１００の長手方向１００ｃと直交方向の正面側に突出して設けた軸受け部１０３（筒部）とで構成されている。そして、軸受け部１０３と袖板１０１、１０２と平板部１００との繋目に設けた軸受け支持山部１０４を形成する。【選択図】図１
0003207488.tif 000002
【実用新案登録請求の範囲】
【請求項１】
椅子の座部下側に固止される肘掛け装置の取付台は、前記座部下側に接触する平板部を有し、前記平板部に、前記座部下側の少なくとも、対の螺孔に合致する、少なくとも、前側の二つの第１の取付孔と、前記二つの第１の取付孔の後側の二つの第２の取付孔とを備えるとともに、前記平板部に、前記平板部の長手方向に直交する軸受け部を形成し、前記軸受け部には、前記椅子の肘掛け柱の軸部を差込み可能とし、
前記二つの第１の取付孔と前記二つの第２の取付孔の何れかを選択可能とし、前記一つの第１の取付孔と前記一つの第２の取付孔を選択し、前記取付台を、前記椅子のポールを基準として前側に取付け、又は前記他の一つの第１の取付孔と前記他の一つの第２の取付孔を選択し、前記取付台を、前記椅子のポールを基準として後側に取付け、可能とする構成とした肘掛け装置の取付台の構造。
【請求項２】
前記取付台は、樹脂製とし、軽量化を図るために、肉抜き部を複数個形成する構成とした請求項１に記載の肘掛け装置の取付台の構造。
【請求項３】
前記取付台は、前記平板部の長手方向に対して、前記軸受け部は直交する方向に設ける構成とした請求項１に記載の肘掛け装置の取付台の構造。
【請求項４】
前記平板部の下側に袖板を形成し、前記袖板の長手方向に対して、前記軸受け部は直交する方向に設ける構成とした請求項１に記載の肘掛け装置の取付台の構造。
【請求項５】
前記取付台は、樹脂製とし、軽量化を図るために、前記袖板のコーナーの隅角部をカットする構成とした請求項１に記載の肘掛け装置の取付台の構造。
【考案の詳細な説明】
【技術分野】
【０００１】
本考案は、パーラーの椅子に取付けられる肘掛け装置の取付台の構造に関する。
【背景技術】
【０００２】
周知の如く、パーラーでは、遊戯機島と、隣接する遊戯機島とで構成される隙間に、椅子を配置するとともに、通路を形成する。それがため、椅子の前後移動(遊戯機島からの離間と近接)は、限定されている。この限定された範囲内において、前後移動を自動で行う方法が採用されている。例えば、特開２０１１−５０４７６号公報に記載の「肘掛け装置及びこれをそなえた椅子」とか、特開平１１−１３７３７０号公報に記載の「椅子の肘掛け」等が挙げられる。これらの発明は、スライドベースに設けたスライド式の肘掛けを設けた構造である。従って、肘掛け支持部(肘掛け装置)が、前後移動する構造ではない。
【０００３】
尚、市場において、肘掛け(肘当て台)を備えた肘掛け本体(肘掛け柱)を樹脂製で形成し、この肘掛け本体の軸部を、樹脂製の取付台(肘掛け本体の受けパーツ)の軸受け部に支持する構造が提案されている。しかし、この構造は、軸受け部を、取付台の長手方向に偏芯した位置に設けることを特徴とする。従って、例えば、取付台を、座部(座面)左右側に、それぞれ取付けるとした場合には、右側の取付台と、左側の取付台と、別個に用意し、かつ製作する必要があり、製造と金型等のコストの上昇と、その管理の複雑化、或いは取付け作業の複雑化等を招来し問題である。また、取付台に関しては、肉厚の解決策に関しての配慮が十分とは考えられない。そして、最も必要とする通路の幅に応じた肘掛けの前後動(遊戯機に対しての前後動)に関しての配慮が、全く伺えず、パーラーとか、そのパーラーに関連する人々、或いは顧客の要望に応えていない問題がある。
【０００４】
【特許文献１】特開２０１１−５０４７６号公報
【特許文献２】特開平１１−１３７３７０号公報
【考案の概要】
【考案が解決しようとする課題】
【０００５】
肘掛け装置の取付台に関する前述の構造は、軸受け部の構造と、肉厚に対する考え方が十分でなく、種々の問題を抱えている。また、取付台は、一度、座部に取付けると、その前後の位置(前後動とする。スライドとは異なる)はできず、前述した、パーラーとか、そのパーラーに関連する人々、或いは顧客の要望に応えていない問題とか、人の通行等に関しての配慮も十分とは考えられない。
【課題を解決するための手段】
【０００６】
上記に鑑み、本考案は、肘掛け装置の前後動とか、その肘掛け装置が、パーラーとか、そのパーラーに関連する人々、或いは顧客の要望に応え得ることとか、人の通行等に関しての配慮が図れる構造である。
【０００７】
そのために、本考案は、請求項１〜請求項５を提案する。
【考案の効果】
【０００８】
請求項１の考案は、椅子の座部下側に固止される肘掛け装置の取付台は、座部下側に接触する平板部を有し、平板部に、座部下側の少なくとも、対の螺孔に合致する、少なくとも、前側の二つの第１の取付孔と、二つの第１の取付孔の後側の二つの第２の取付孔とを備えるとともに、平板部に、平板部の長手方向に直交する軸受け部を形成し、軸受け部には、椅子の肘掛け柱の軸部を差込み可能とし、
二つの第１の取付孔と二つの第２の取付孔の何れかを選択可能とし、一つの第１の取付孔と一つの第２の取付孔を選択し、取付台を、椅子のポールを基準として前側に取付け、又は他の一つの第１の取付孔と他の一つの第２の取付孔を選択し、取付台を、椅子のポールを基準として後側に取付け、可能とする肘掛け装置の取付台の構造である。
【０００９】
従って、請求項１では、肘掛け装置の前後動を、略１０ｍｍ〜２０ｍｍで、望ましくは、１５ｍｍで達成でき、パーラーの通路の隙間調整とか、お客の要望に応え得る特徴がある。そして、また、この肘掛け装置は、パーラーとか、そのパーラーに関連する人々、或いは顧客の要望に応え得ることと、人の通行等に関しての配慮が図れる特徴がある。
【００１０】
請求項２の考案は、取付台は、樹脂製とし、軽量化を図るために、肉抜き部を複数個形成する肘掛け装置の取付台の構造である。
【００１１】
従って、請求項２では、請求項１の特徴に併せて、取付台の軽量化と、材料の節約化、並びに低コスト化等に寄与できる。
【００１２】
請求項３の考案は、取付台は、平板部の長手方向に対して、軸受け部は直交する方向に設ける肘掛け装置の取付台の構造である。
【００１３】
従って、請求項３では、請求項１の特徴に併せて、取付台、及び/又は、肘掛け装置の耐久性と、材料の節約化、並びに低コスト化等に寄与できる。
【００１４】
請求項４の考案は、平板部の下側に袖板を形成し、袖板の長手方向に対して、軸受け部は直交する方向に設ける肘掛け装置の取付台の構造である。
【００１５】
従って、請求項４では、請求項１の特徴に併せて、肘掛け装置の耐久性と、材料の節約化、並びに低コスト化等に寄与できる。
【００１６】
請求項５の考案は、取付台は、樹脂製とし、軽量化を図るために、袖板のコーナーの隅角部をカットする肘掛け装置の取付台の構造である。
【００１７】
従って、請求項５では、請求項１の特徴に併せて、取付台の軽量化と、材料の節約化、並びに低コスト化等に寄与できる。
【図面の簡単な説明】
【００１８】
【図１】取付台を正面側より俯瞰した斜視図
【図２】取付台を背面側より見た斜視図
【図３】取付台の平面図
【図４】取付台の底面図
【図５】取付台に肘掛け柱を取付けた（差込み支持した）側面図
【図６】取付台に肘掛け柱を取付け、肘掛け柱が可動する状態を示した背面図
【図７】椅子に固止した取付台に、肘掛け柱を取付けた正面図（椅子を中心として見た場合は側面図）
【図８】図示しない床面に配備した椅子の座部に取付台を固止し、この取付台に肘掛け柱を取付けた背面視した拡大断面図
【考案を実施するための形態】
【００１９】
以下、本考案の好ましい一実施例を、図面を参照しながら説明する。
【００２０】
図１と図２に示した取付台１は、全体視して、等脚台形立方体を呈しており、詳細は、平板部１００と、この平板部１００より垂架した、この平板部１００の一面側にある一枚板で、かつ正面視して略三角形状を呈する一枚板とした左右の袖板１０１、１０２と、この左右の袖板１０１、１０２の合体側で、かつセンタに位置し、しかも平板部１００の長手方向１００ｃと直交方向の正面側に突出して設けた軸受け部１０３(筒部)とで構成されている。そして、軸受け部１０３と袖板１０１、１０２と平板部１００との繋目に設けた軸受け支持山部１０４を形成する。尚、各一枚板の構造は一例である。
【００２１】
この取付台１の軽量化と樹脂素材の節約化等を意図して、例えば、軸受け支持山部１０４の背面側には肉抜き部２を形成する。また、軸受け支持山部１０４のコーナーの両隅角部には、肉落とし部３を形成する(コーナーをカットした肉落とし部３とする)。
【００２２】
また、軸受け部１０３の背面側には、後述する肘掛け柱の軸部が差込まれる凹部５を座ぐり形成する。
【００２３】
さらに、平板部１００の長手方向の端部１００ａ、１００ｂには、少なくとも、第１の取付孔６と、第２の取付孔７とがそれぞれ設けられている。第１の取付孔６と、第２の取付孔７の、それぞれ向かって、右側を利用して、椅子の前側Ｘ(後述するポールを基準として)に肘掛け柱を設ける一例と、又は第１の取付孔６と、第２の取付孔７の、それぞれ向かって、左側を利用して、椅子の後側Ｙ(後述するポールを基準として)に肘掛け柱を設ける他の一例とがある。尚、前側Ｘと後側Ｙの、それぞれの第１の取付孔６と、第２の取付孔７とは、図示のように対となっている。そして、前側Ｘとなる第１の取付孔６と、同第２の取付孔７との間の間隔は、例えば、略１０ｍｍ〜２０ｍｍで、望ましくは、１５ｍｍとする。また、後側Ｙとなる第１の取付孔６と、同第２の取付孔７との間の間隔は、前側Ｘと同様である。
【００２４】
次に、図５〜図７に示した肘掛け柱１０(肘掛けフレーム)は、肘掛け１１と、肘掛け１１を支持する柱１２(フレーム)と、柱１２の折曲げ部１２００に設けた軸部１３とを主構成要素とする。この軸部１３を取付台１の凹部５に差込み、軸部１３の端部にパッキンと止め具を取付けて、軸受け部１０３に可動自在に取付ける。図示しないが、可動の範囲を規制する手段を、軸受け部１０３と軸部１３との間に設ける。また、同様に戻りのスプリング等の手段も付設する。
【００２５】
図８に示したシート２０及び座部２１と、取付台１と、肘掛け柱１０との関係を説明すると、床面に設置されたポール２２の上には、座支持体２３を介して、取付座２５が設けられている。この取付座２５は、座支持体２３にスライド可能に取付けられることも有り得る。この取付座２５には座部２１の支持板２１ａが載架されるとともに、例えば、ボルト(図示せず)で、両者が固定される。この支持板２１ａに設けた複数の孔２１ｂに差込まれる複数の止め具２６を利用して、取付台１は座部２１の支持板２１ａの下側(下面)に固止される。そして、図示のように、孔２１ｂは、座部２１に向かって右側と、左側にあり、図例では、右側(図面に向かって右側)の孔２１ｂを利用して、取付台１を取付けるが、一例である。尚、左側(図面に向かって左側)の孔２１ｂを利用して、取付台１を取付けることもできる。図中２１ｃは座部２１のリブを示す。図８の如く、取付台１は、椅子３０の左側(Ｚ側)と、右側(Ｑ側)との何れにも、取付けることができる。即ち、同じ構造の取付台１を使用して、左右いずれの側にも取付け可能である。即ち、取付台１は、左右共通である。従って、重宝することと、合理的である。そして、場合により、取付台１と肘掛け１１は、左右両側に取付けることも可能である。
【００２６】
即ち、本考案は、ポール２２を基準として、取付台１を前側Ｘと、後側Ｙに取付けることで、肘掛け柱１０を、前側Ｘにある取付台１を利用して、椅子３０の前側Ｘの所定の位置にセットし、逆に、肘掛け柱１０を、後側Ｙにある取付台１を利用して、椅子３０の後側Ｙの所定の位置にセットし、使用できる。従って、肘掛け装置の前後動を、略１０ｍｍ〜２０ｍｍで、望ましくは、１５ｍｍで達成でき、パーラーの通路の隙間調整とか、パーラー様の要望等に応え得る。また、お客様の要望にも応え得る。
【００２７】
尚、前述した如く、椅子３０の左右側Ｚ、Ｑに、同じ構造の取付台１をセットできるので、コストの低廉化と在庫管理の容易化等に寄与できる。
【００２８】
前述した各実施例等は、本考案の好ましい一例の説明である。各実施例とか図面に限定されない。従って、考案の趣旨の範囲において構成の一部を変更する構造とか、同じ特徴と効果を達成できる構造、等は、本考案の範疇である。
【符号の説明】
【００２９】
１  取付台
１００  平板部
１００ａ  端部
１００ｂ  端部
１００ｃ  長手方向
１０１  袖板
１０２  袖板
１０３  軸受け部
１０４  軸受け支持山部
２  肉抜き部
３  肉落とし部
５  凹部
６  第１の取付孔
７  第２の取付孔
１０  肘掛け柱(肘掛けフレーム)
１１  肘掛け
１２  柱
１２００  折曲げ部
１３  軸部
２０  シート
２１  座部
２１ａ  支持板
２１ｂ  孔
２１ｃ  リブ
２２  ポール
２３  座支持体
２５  取付座  
２６  止め具
３０  椅子
Ｘ  前側
Ｙ  後側
Ｚ  左側
Ｑ  右側
【図１】
0003207488.tif 000003
【図２】
0003207488.tif 000004
【図３】
0003207488.tif 000005
【図４】
0003207488.tif 000006
【図５】
0003207488.tif 000007
【図６】
0003207488.tif 000008
【図７】
0003207488.tif 000009
【図８】
0003207488.tif 000010